(57)【特許請求の範囲】
【請求項１】
同じ周波数で送出する複数の局を有する無線ネットワークの送信方法であって、
前記複数の局のうち少なくとも１つの中継局により実施される以下のステップ：
−第１の無線チャネルを介してデータを表す第１の信号を受信するステップであり、前記第１の信号は、前記複数の局のうち少なくとも２つの基地局により同期的に送出されるステップ、及び
−第２の無線チャネルを介して少なくとも１つの受信機を有する集合に前記受信したデータを表す第２の信号を送出するステップ
を有し、
前記第２の信号は、前記複数の局のうち少なくとも１つの基地局により送出されることになっている前記データを表す第３の信号と同期的に送出されることを特徴とする方法。
【請求項２】
前記第３の信号及び前記第１の信号は、少なくとも２つの同じ基地局により送出されることを特徴とする、請求項１に記載の方法。
【請求項３】
同期情報を表す少なくとも１つの信号を受信するステップを有することを特徴とする、請求項１又は２に記載の方法。
【請求項４】
同期情報を表す前記少なくとも１つの信号は、前記第１の信号を送出した２つの局のうち少なくとも１つの局により送出されることを特徴とする、請求項３に記載の方法。
【請求項５】
前記第１の信号は、第１のタイムスロットで送出され、前記第２及び第３の信号は、第２のタイムスロットで送出され、前記第１及び第２のタイムスロットは、同じ通信フレームに属することを特徴とする、請求項１ないし４のうちいずれか１項に記載の方法。
【請求項６】
前記第１の信号は、第１のタイムスロットで送出され、前記第２及び第３の信号は、第２のタイムスロットで送出され、前記第１及び第２のタイムスロットは、２つの連続する通信フレームに属することを特徴とする、請求項１ないし４のうちいずれか１項に記載の方法。
【請求項７】
前記少なくとも１つの中継局は、少なくとも第１のアンテナを介して前記第１の信号を受信し、少なくとも第２のアンテナを介して前記第２の信号を送出することを特徴とする、請求項１ないし６のうちいずれか１項に記載の方法。
【請求項８】
同じ第４の信号が、前記少なくとも１つの基地局及び前記少なくとも１つの中継局により同期的に送出されることを特徴とする、請求項１ないし７のうちいずれか１項に記載の方法。
【請求項９】
同じ周波数で送出する複数の局を有する無線ネットワークの送信方法であって、
−前記複数の局のうち少なくとも２つの基地局により同期的に、第１の無線チャネルを介して第１のタイムスロットでデータを表す第１の信号を送出するステップ、及び
−第２の無線チャネルを介して第２のタイムスロットで前記データを表す第３の信号を送出するステップ
を有し、
前記第３の信号は、前記複数の局のうち少なくとも１つの基地局により、前記第１の送出された信号を受信する前記複数の局のうち少なくとも１つの中継局により送出されることになっている前記データを表す第２の信号と同期的に送出されることを特徴とする方法。
【請求項１０】
同じ周波数で送出する複数の局と少なくとも１つの移動端末とを有する無線ネットワークの受信方法であって、
前記少なくとも１つの移動端末により実施される以下のステップ：
−第１の無線チャネルを介して第１のタイムスロットでデータを表す第１の信号を受信するステップであり、前記第１の信号は、前記複数の局のうち少なくとも２つの基地局により同期的に送出されるステップ、及び
−第２のタイムスロットで合成信号を受信するステップ
を有し、
前記合成信号は、前記データを表す第２の信号と、前記データを表す第３の信号とを有し、前記第２及び第３の信号は、前記複数の局のうち少なくとも１つの基地局及び前記複数の局のうち少なくとも１つの中継局によりそれぞれ同期的に送出されることを特徴とする方法。
【請求項１１】
−受信信号電力、
−少なくとも１つの送信局と受信機との間のリンク品質、
−受信信号誤り率、
を有するグループに属する少なくとも１つの選択基準に従って前記受信信号を選択するステップを有することを特徴とする、請求項１０に記載の方法。
【請求項１２】
−通信フレームの受信信号位置、
−信号の送信機を表す情報
を有するグループに属するパラメータに従った利得適応ステップを有することを特徴とする、請求項９又は１０に記載の方法。
【請求項１３】
−第１の無線チャネルを介してデータを表す第１の信号を受信する手段であり、前記第１の信号は、同じ周波数で送出する無線ネットワークの複数の基地局のうち少なくとも２つの基地局により同期的に送出される手段、及び
−第２の無線チャネルを介して少なくとも１つの受信機を有する集合に受信される前記データを表す第２の信号を送出する手段
を有し、
前記第２の信号は、前記複数の基地局のうち少なくとも１つの基地局により送出されることになっている前記データを表す第３の信号と同期的に送出されることを特徴とする無線中継装置。
【請求項１４】
同じ周波数で送出する複数の基地局及び少なくとも１つの中継局を有する無線通信システムであって、
前記複数の基地局のうち少なくとも２つの基地局は、
第１の無線チャネルを介してデータを表す第１の信号を同期して送出する手段をそれぞれ有し、
前記少なくとも１つの中継局は、前記少なくとも２つの基地局により送出された前記第１の信号のうち少なくとも１つを受信するように構成され、
前記中継局は、前記複数の基地局のうち少なくとも１つの基地局により送出された前記データを表す第３の信号と同期的に、前記データを表す第２の信号を送信する手段を有する無線通信システム。
【発明の詳細な説明】
【技術分野】
【０００１】
本発明は、電気通信の分野に関し、特に、同期的に同じ周波数でデータをブロードキャストする１つより多くの局を有するシステムにおけるデータの無線送信及び受信に関する。
【背景技術】
【０００２】
従来技術によれば、無線移動ネットワーク（例えば、3GPP（3rd  Generation  Partnership  Project）プロジェクトのGSM（登録商標）（Global  System  for  Mobile  communication）、WiMAX（IEEE802.16に基づく）又はLTE（Long  Term  Evolution）の形式のもの）は、基地局をそれぞれ含むセルを有し、セルは、基地局の送信によりカバーされるエリアにより規定される。セルの全体カバレッジを確保するために、場合によっては、１つ以上の中継局をセルの基地局に関連付け、基地局により送出された信号を基地局によりカバーされないエリアに中継する必要がある。これらのエリアは、セルの陰領域（shadow  zone）を構成する。従って、このような中継局は、下りリンクにおいて、基地局により送出された信号を、例えばセルの陰領域に存在する移動端末に再送信し、また、セルの陰領域に存在する移動端末により送出された信号を基地局に再送信する役目を有する。ネットワークの基地局は、一般的には（例えば衛星リンクにより）有線又は無線バックボーンに接続されているが、基地局に関連付けられた中継局は、バックボーンに接続されておらず、無線リンクにより関連付けられた１つ以上の基地局のみに接続されている。
【発明の概要】
【発明が解決しようとする課題】
【０００３】
カバーされるセルでの中継局の使用は、多くの問題点を提起する。この理由は、例えば、中継局は、特に干渉を最低限にするために、信号の再送信のために、基地局で使用するものとは異なる無線チャネルを使用するためである。一方で基地局により使用される無線チャネルと他方で中継局により使用される無線チャネルとの乗算（多重）は、特に移動端末の数が多い場合に、ネットワーク管理を複雑にする。更に、異なる無線チャネルの使用は、基地局によりカバーされた領域から基地局によりカバーされていない（又は部分的にカバーされている）が中継局によりカバーされた陰領域に移行する移動端末に対して、ハンドオーバ動作を実行させることを強いる。このことは、移動端末のレベルでサービスの中断を生じる可能性がある。
【０００４】
本発明の目的は、従来技術のこれらの欠点を克服することである。
【０００５】
特に、本発明の目的は、特に少なくとも１つの中継局を実装する無線ネットワークにおいて無線チャネルの使用を最適化することである。
【課題を解決するための手段】
【０００６】
本発明は、同じ周波数で送出する複数の局を有する無線ネットワークの送信方法に関する。この方法は、複数の局のうち少なくとも１つの中継局により実施される以下のステップ：
−第１の無線チャネルを介してデータを表す第１の信号を受信するステップ、及び
−第２の無線チャネルを介して少なくとも１つの受信機を有する集合に受信データを表す第２の信号を送信するステップ
を有する。第２の信号は、複数の局のうち少なくとも１つの基地局により送信されることになっているデータを表す第３の信号と同期的に送信される。
【０００７】
特定の特徴によれば、第１及び第３の信号は、少なくとも同じ基地局により送信される。
【０００８】
有利には、この方法は、同期情報を表す少なくとも１つの信号を受信するステップを有する。
【０００９】
他の特徴によれば、同期情報を表す少なくとも１つの信号は、第１の信号を送信した少なくとも１つの基地局により送信される。
【００１０】
有利には、第１の信号は、第１のタイムスロットで送信され、第２及び第３の信号は、第２のタイムスロットで送信され、第１及び第２のタイムスロットは、同じ通信フレームに属する。
【００１１】
特定の特徴によれば、第１の信号は、第１のタイムスロットで送信され、第２及び第３の信号は、第２のタイムスロットで送信され、第１及び第２のタイムスロットは、２つの連続する通信フレームに属する。
【００１２】
他の特徴によれば、少なくとも１つの中継局は、少なくとも第１のアンテナを介して第１の信号を受信し、少なくとも第２のアンテナを介して第２の信号を送信する。
【００１３】
有利には、同じ第４の信号が、少なくとも１つの基地局及び少なくとも１つの中継局により同期的に送信される。
【００１４】
本発明はまた、同じ周波数で送出する複数の局を有する無線ネットワークの送信方法に関する。この方法は、複数の局のうち少なくとも１つの基地局により実施される以下のステップ：
−第１の無線チャネルを介して第１のタイムスロットでデータを表す第１の信号を送信するステップ、及び
−第２の無線チャネルを介して第２のタイムスロットでデータを表す第３の信号を送信するステップ
を有する。第３の信号は、第１の送出された信号を受信する複数の局のうち少なくとも１つの中継局により送信されることになっているデータを表す第２の信号と同期的に送信される。
【００１５】
本発明はまた、同じ周波数で送信する複数の局と少なくとも１つの移動端末とを有する無線ネットワークの受信方法に関する。この方法は、少なくとも１つの移動端末により実施される以下のステップ：
−第１の無線チャネルを介して第１のタイムスロットでデータを表す第１の信号を受信するステップ、及び
−第２のタイムスロットで合成信号を受信するステップ
を有する。合成信号は、データを表す第２の信号と、データを表す第３の信号とを有し、第２及び第３の信号は、複数の局のうち少なくとも１つの基地局及び少なくとも１つの中継局によりそれぞれ同期的に送信される。
【００１６】
特定の特徴によれば、受信方法は、
−受信信号電力、
−少なくとも１つの送信局と受信機との間のリンク品質、
−受信信号誤り率、
を有するグループに属する少なくとも１つの選択基準に従って受信信号を選択するステップを有する。
【００１７】
有利には、この方法は、
−通信フレームの受信信号位置、
−信号の送信機を表す情報
を有するグループに属するパラメータに従った利得適応ステップを有する。
【図面の簡単な説明】
【００１８】
【図１】本発明の特定の実施例による複数の基地局、中継局及び移動端末を実装した無線システム1
【図２】本発明の特定の実施例によるシステム1又は4の（基地又は中継）局の概略図
【図３】本発明の特定の実施例によるシステム1又は4の移動端末の概略図
【図４】本発明の特定の実施例による基地局、中継局及び複数の移動端末を実装した無線システム4
【図５ａ】本発明の第１の特定の実施例によるシステム1の基地局のレベルでの通信フレームの構成の概略図
【図５ｂ】本発明の第１の特定の実施例によるシステム1の中継局のレベルでの通信フレームの構成の概略図
【図５ｃ】本発明の第１の特定の実施例によるシステム1の移動端末のレベルでの通信フレームの構成の概略図
【図６ａ】本発明の第２の特定の実施例によるシステム1の基地局のレベルでの通信フレームの構成の概略図
【図６ｂ】本発明の第２の特定の実施例によるシステム1の中継局のレベルでの通信フレームの構成の概略図
【図６ｃ】本発明の第１の特定の実施例によるシステム1の移動端末のレベルでの通信フレームの構成の概略図
【図７ａ】本発明の特定の実施例によるシステム4の基地局のレベルでの通信フレームの構成の概略図
【図７ｂ】本発明の特定の実施例によるシステム4の中継局のレベルでの通信フレームの構成の概略図
【図７ｃ】本発明の特定の実施例によるシステム4の各移動端末のレベルでの通信フレームの構成の概略図
【図７ｄ】本発明の特定の実施例によるシステム4の各移動端末のレベルでの通信フレームの構成の概略図
【図７ｅ】本発明の特定の実施例によるシステム4の各移動端末のレベルでの通信フレームの構成の概略図
【図８】システム1又は4の中継局により実施される本発明の特定の実施例による送信方法
【図９】システム1又は4の基地局により実施される本発明の特定の実施例による送信方法
【図１０】システム1又は4の移動端末により実施される本発明の特定の実施例による受信方法
【発明を実施するための形態】
【００１９】
図面を参照して以下の説明を読むことにより、本発明が理解でき、他の特有の特徴及び利点が明らかになる。
【００２０】
少なくとも１つの基地局と少なくとも１つの中継局と少なくとも１つの移動端末とを有する無線ネットワークにおける送信方法の特定の実施例を参照して、本発明について説明する。基地局及び中継局は、同じ周波数で送信する。第１の信号は、第１の物理チャネルを使用することにより、少なくとも１つの基地局により少なくとも１つの中継局に送信され、第１の送信信号は、少なくとも１つの移動端末向けのデータを表す。第１の信号が受信されると、少なくとも１つの中継局は、第２の物理チャネルで第１の信号ものと同じデータを表す第２の信号を送信する。第３の信号は、第２の信号の送信に使用されるものと同じ第２の物理チャネルで第２の信号の送信と同期的（synchronously）に送信される。第３の信号もまた、第１の信号及び第２の信号と同じデータを表す。同じ物理チャネルでの第２及び第３の信号の送信により、少なくとも移動端末のレベルでデータ受信を改善しつつ、チャネルの使用が中継局を実装するシステムにおいて最適化されることが可能になる。複数の送信機は、同じデータを表す信号を同期的に送信する。
【００２１】
図１は、本発明の特定の実施例による複数の基地局11、12、中継局10及び移動端末13を実装した無線通信システム1を示す。システム1の全ての局（すなわち、基地局11及び12並びに中継局10）は、単一の周波数で送信する。すなわち、局は単一の周波数で（すなわち、考慮されるOFDMシステムに対してわずかな周波数のずれ（DVB-T（Digital  Video  Broadcasting-Terrestrial）形式のシステムでは、典型的には1Hz未満）で）動作する。ネットワークの局の集合（セット）による単一の周波数での送信は、移動端末のレベルで“ハンドオーバ（handover）”機構を不要にする。基地局BS1  11は、第１の物理チャネルを使用することにより、中継局RS  10に第１の信号を送信する。第１の信号が中継局10により受信されると、次に、中継局は、第２の物理チャネルを使用することにより、移動端末MT1  13向けの第１の信号に含まれるデータを表す第２の信号を送信する。有利には、基地局BS1  11は、この場合も第２の物理チャネルを使用することにより、移動端末13向けの第１の信号に含まれるものと同じデータを表す第３の信号を、第２の信号の送信と同期的に送信する。従って、第２及び第３の信号は、同じ物理チャネルで同期的に（すなわち、わずかな時間的ずれ（例えば1μs未満）で、他の基地局により送信される他の信号に対して基地局により送信される信号の時間的変化なしに）送信される。一般的には、物理チャネルは、周波数帯域とタイムスロットとにより特徴付けられる。CDMA（Code  Division  Multiple  Access）アクセスの特定の場合、物理チャネルはまた、拡散コードにより特徴付けられる。一方でBS1  11とRS  10との間の無線リンク及び他方でRS  10とMT1  13との間の無線リンクは、図１では実線の双方向の矢印で示されている。これに関して、BS1  11とMT1  13との間の無線リンクは、点線の双方向の矢印で示されている。有利には、基地局BS1  11及びBS2  12は、図１に示さない有線又は無線の形式のリンクにより（例えば、衛星又は無線リンクにより）‘バックボーン（backbone）’に接続される。
【００２２】
１つの変形例によれば、第３の信号は、基地局BS1  11によってではなく、基地局BS2  12により、第２の物理チャネルを使用することにより第２の信号の送信と同期的に送信される。BS2  12とMT1  13との間の無線リンクは、点線の双方向の矢印で示されている。第３の信号は、第１の信号でBS1により送信されるデータを表す。このデータは、例えば相互に基地局BS1及びBS2を接続するバックボーンのサーバにより、BS2に送信される。
【００２３】
他の変形例によれば、第１の信号は、同じ第１の物理チャネルを使用することにより、基地局BS1  11及びBS2  12によりRS  10に同期的に同じ周波数で送信される。有利には、第３の信号は、第２の物理チャネルを使用することにより、BS1  11及びBS2  12により同期的に同じ周波数で送信される。このように、基地局BS1  11及びBS2  12は、同じ周波数で同じコンテンツを中継局10及び／又は移動端末13に送信する同期したネットワークを形成する。すなわち、基地局は単一の周波数で（すなわち、考慮されるOFDMシステムに対してわずかな周波数のずれ（DVB-T（Digital  Video  Broadcasting-Terrestrial）形式のシステムでは、典型的には1Hz未満）で）同期的に（すなわち、わずかな時間的ずれ（例えば1μs未満）で、他の基地局により送信される他の信号に対して基地局により送信される信号の時間的変化なしに）動作する。送信周波数は、例えば外部要素（例えば、GPS（Global  Positioning  System）衛星又は基準周波数若しくは基準時をブロードキャストする地上波局）により与えられる基準周波数の受信により、様々な基地局11及び12で同期する。有利には、基地局11及び12は、SISO（Single  Input  Single  Output）形式であり、単一のアンテナのみを有する。１つの変形例によれば、基地局11及び12は、MIMO形式であり、それぞれMIMO符号器及びMIMO信号を送信する複数のアンテナを有する。他の変形例によれば、システム1の基地局11及び12の或るものはSISO形式であり、或るものはMIMO形式である。この変形例によれば、基地局はまた、同じ周波数で中継局及び／又は所与の移動端末向けの同じコンテンツを送信する同期したネットワークを形成する。他の実装例によれば、基地局11及び12は、基地局が区別なく（indifferently）１つ以上のアンテナを有する協調MIMO（cooperative  MIMO）システムを形成する。このような協調MIMOシステムは、複数の基地局に分散したアンテナを使用する。すなわち、送信される信号は、同じサブセットの複数の基地局に属することができる複数のアンテナ間で空間的に分散される。全ての空間ストリームを有する完全な信号は、考慮されるサブセットの基地局に割り当てられた中継局10及び／又は移動局13により受信されるために、無線で合成（結合）される。このような協調MIMOシステムの基地局はまた、同じ周波数で中継局及び／又は考慮される移動端末向けに同じコンテンツを送信する同期したネットワークを形成する。他の変形例によれば、システム1の或る基地局はMIMO形式であり（協調又は非協調）、他のものはSISO形式である。
【００２４】
移動端末13は、局10〜12により送信された信号を受信して復号化することができ、局10〜12は、移動端末13により送信された信号を受信して復号化することができる。中継局10もまた、基地局11及び12により送信された信号を受信して復号化することができ、基地局11及び12は、中継局10により送信された信号を受信して復号化することができる。
【００２５】
有利には、システム1の移動端末10は、携帯型装置（例えば、ブロードキャストサービスを受信及び処理（例えば、音声又はオーディオデータの回復及び／又はビデオデータの表示、或いは一般的にマルチメディアデータの回復、格納又は処理）するように適合された携帯電話又は端末）である。
【００２６】
有利には、システム1の局10〜12は、固定装置である。局10〜12は、広いカバレッジエリアでデータをブロードキャストするように適合された高電力送信機、又はより制限されたカバレッジエリアでデータをブロードキャストするように適合された平均電力若しくは低電力送信機である。１つの変形例によれば、局10〜12のうち少なくとも１つ（例えば、中継局10）は、‘ピコセル（picocell）’（すなわち、数十メートルほどの範囲を有するビル、スーパーマーケット、駅の内部のような小さいエリア）をカバーするシステムを形成する（或る実施例では、ピコセルでは、範囲は有利には300m未満である）。他の変形例によれば、局10〜12のうち少なくとも１つ（例えば、中継局10）は、“フェムトセル（femtocell）”  （すなわち、数メートルの範囲を有する家又はビルの数個の部屋、ビルの１フロア、平面のようなピコセルより小さいサイズに制限されたエリア）をカバーするように設計されたシステムを形成する（或る実施例では、フェムトセルでは、範囲は有利には100メートル未満である）。
【００２７】
有利には、中継局10はSISO形式であり、単一のアンテナを有する。１つの変形例によれば、中継局10はMIMO形式であり、複数のアンテナを有する。
【００２８】
有利には、移動端末13はSISO形式であり、単一のアンテナを有する。１つの変形例によれば、移動端末13はMIMO形式であり、複数のアンテナを有する。
【００２９】
図２は、例えば図１の基地局11及び12並びに中継局10に対応する局2のハードウェアの実施例を概略的に示している。
【００３０】
基地局2は、クロック信号をも伝送するアドレス及びデータのバス24により相互に接続された以下の要素を有する。
−マイクロプロセッサ21（又はCPU）、
−ROM（Read  Only  Memory）形式の不揮発性メモリ22、
−ランダムアクセスメモリ又はRAM23、
−データの送信（例えば、サービスのブロードキャスト又はマルチポイント・ツー・ポイント若しくはポイント・ツー・ポイント送信）、特に符号器及び／又はOFDM変調器の機能の実行に適したインタフェース27、
−同期信号の受信及びインタフェース27の同期に適したインタフェース28、及び／又は
−ユーザの情報の表示及び／又はデータ若しくはパラメータの入力（例えば、送信されるサブキャリア及びデータのパラメータ化）に適合されたMMI（Man  Machine  Interface）インタフェース29又は特定のアプリケーション
メモリ22及び23の説明で使用される“レジスタ（register）”という用語は、言及される各メモリにおいて、低容量のメモリ領域（いくつかのバイナリデータ）と、大容量のメモリ領域（全体のプログラム又は受信されたデータ若しくはブロードキャストされるデータを表すデータの全部若しくは一部を格納可能にする）とを示す点に留意すべきである。
【００３１】
メモリROM22は、特に
−‘prog’220プログラム、及び
−物理レイヤのパラメータ221
を有する。
【００３２】
以下に説明する本発明に特有の方法のステップを実施するアルゴリズムは、これらのステップを実施する局2に関連付けられたROMメモリ22に格納される。起動時に、マイクロプロセッサ21は、これらのアルゴリズムの命令をロードして実行する。
【００３３】
ランダムアクセスメモリ23は、特に
−レジスタ230において、基地局2の電源投入のための役目をするマイクロプロセッサ21の動作プログラム、
−送信パラメータ231（例えば、変調、符号化、MIMO、フレーム再現（frame  recurrence）パラメータ）、
−受信パラメータ232（例えば、変調、符号化、MIMO、フレーム再現パラメータ）、
−入来データ233、
−データ送信用の符号化データ234、
−アプリケーション29へのインタフェースに送信されるためにフォーマットされた復号化データ235、
−１つ以上の移動端末への局の割り当てパラメータ236（例えば、割り当てられた移動端末の数、割り当てられた基地局の最大数、基地局と割り当てられた移動端末との間のリンクの品質、基地局のビットレートにおける効率、移動端末のローカライゼーション（localization））、及び
−物理チャネルのパラメータ237（例えば、判定されたタイムスロットの割り当て、判定されたコードの割り当て、及び／又は局2によるデータの送信時に判定されたサブキャリアの間隔）
を有する。
【００３４】
無線インタフェース26は、必要に応じてシステム1の移動端末13によりブロードキャストされた信号を受信するように適合される。局2が基地局11、12に対応する場合、無線インタフェース26は、必要に応じてシステム1の中継局10により送信された信号の受信に適している。局2がシステム1の中継局10に対応する場合、無線インタフェース26は、必要に応じてシステム1の基地局11及び12のうち少なくとも１つにより送信された信号の受信に適している。
【００３５】
図３は、例えば移動端末13に対応し、局2により送信された信号を受信して復号化するように適合されたシステム1に属する移動端末3のハードウェアの実施例を概略的に示している。
【００３６】
移動端末3は、クロック信号をも伝送するアドレス及びデータのバス34により相互に接続された以下の要素を有する。
−マイクロプロセッサ31（又はCPU）、
−ROM（Read  Only  Memory）形式の不揮発性メモリ32、
−ランダムアクセスメモリ又はRAM33、
−無線インタフェース36、
−データの送信に適したインタフェース37、及び
−ユーザの情報の表示及び／又はデータ若しくはパラメータの入力（例えば、サブキャリア及び送信データのパラメータ化）に適合されたMMIインタフェース39
メモリ32及び33の説明で使用される“レジスタ（register）”という用語は、言及される各メモリにおいて、低容量のメモリ領域と、大容量のメモリ領域（全体のプログラム又は受信若しくは復号化されたデータのセットを表すデータの全部若しくは一部を格納可能にする）とを示す点に留意すべきである。
【００３７】
メモリROM32は、特に
−‘prog’320プログラム、及び
−物理レイヤのパラメータ321
を有する。
【００３８】
以下に説明する本発明に特有の方法のステップを実施するアルゴリズムは、これらのステップを実施する移動端末3に関連付けられたROM32メモリに格納される。起動時に、マイクロプロセッサ31は、これらのアルゴリズムの命令をロードして実行する。
【００３９】
ランダムアクセスメモリ33は、特に
−レジスタ330において、端末3の電源投入のための役目をするマイクロプロセッサ31の動作プログラム、
−受信パラメータ331（例えば、変調、符号化、MIMO、フレーム再現パラメータ）、
−送信パラメータ332（例えば、変調、符号化、MIMO、フレーム再現パラメータ）、
−受信機36により受信及び復号化されたデータに対応する入来データ333、
−データ送信用の符号化データ334、
−アプリケーション39へのインタフェースに送信されるためにフォーマットされた復号化データ335、
−受信信号選択パラメータ336（例えば、受信信号の電力、局2と移動端末3との間のリンクの品質、受信信号誤り率）、及び
−利得適応パラメータ337（例えば、通信フレームにおける受信信号の位置、信号を送信する局2を表す情報）
を有する。
【００４０】
無線インタフェース36は、システム1の局10〜12によりブロードキャストされた信号を受信するように適合される。
【００４１】
図２及び３に関して説明したもの以外の局2及び／又は移動端末3の他の構成は、本発明に適合する。特に、変形例によれば、本発明に適合した局及び／又は移動端末は、純粋にハードウェアの実施例に従って、例えば、専用コンポーネントの形式で（例えば、ASIC（Application  Specific  Integrated  Circuit）又はFPGA（Field  Programmable  Gate  Array）若しくはVLSI（Very  Large  Scale  Integration）で））、装置に統合された複数の電子部品の形式で、又はハードウェア要素及びソフトウェア要素の組み合わせの形式で実装される。
【００４２】
図５ａ〜５ｃは、本発明の第１の特定の有利な非限定的な実装例による図１のシステム1の基地局BS1  11、中継局RS  10及び移動端末13のレベルでのバースト（burst）の交換を表す通信フレームの構成をそれぞれ示している。
【００４３】
図５ａは、BS1から見た基地局BS1と中継局RSと移動端末MT1との間のバーストの交換を表す通信フレームT  50を示している。フレーム50は、例えば同期プリアンブルに対応するバースト500と、例えばフレームヘッダに対応するBS1により送信されるバースト501と、BS1により下りリンクDLでRSに送信されるバースト502と、BS1により下りリンクDLでMT1に送信されるバースト504と、上りリンクULでMT1から受信されるバースト505と、上りリンクULでRSから受信されるフレーム506とを有する。有利には、バースト501は、第１の部分のフレームヘッダ501aと、第２の部分のフレームヘッダ501bとを有する。第１のヘッダ部分501aは、フレーム50の構成を表す情報（すなわち、例えばフレーム50を構成するタイムスロットDL及びULのシーケンスの記述）を有する。このような記述は、例えば、各タイムスロットの開始及び終了時間、フレーム持続時間、スロットの下りリンク（DL）又は上りリンク（UL）特性、OFDMA（Orthogonal  Frequency-Division  Multiple  Access）変調の場合の各スロットに関連付けられた各バーストの通信に割り当てられたサブキャリア、CDMA（Code  Division  Multiple  Access）変調の場合に使用されるスペクトル拡散コード、各タイムスロット（又はバースト）の受信機、各タイムスロットの送信機を表す情報を有する。第１のヘッダ部分501aは、BS1により、サブキャリアのリストと、タイムスロットと、干渉レベルと、CDMAアクセスの場合の同じ拡散コードとを有するパラメータのグループにより特徴付けられた物理チャネルで送信される。第２のヘッダ部分501bは、同じ物理チャネルで基地局BS1及び中継局RSにより同期的に送信されるスロット（又はバースト）（すなわち、図５ａ及び５ｂにより示す例によるスロット504及び514）のシーケンスを表す情報を有する。第２のヘッダ部分501bは、同じ物理チャネルでBS1及びRSにより第２のヘッダ部分511bと同期的に送信される。２つのヘッダ部分501b及び511bは、BS1及びRSにより同期的に送信されるスロットのシーケンスを表す同じ情報を有する。有利には、第１のヘッダ部分501aの送信に使用される物理チャネルは、異なるタイムスロットを使用するという点で、第２のヘッダ部分501b及び511bの同期した送信のためにBS1及びRSにより使用される物理チャネルとは異なる。すなわち、第１のヘッダ部分は、少なくとも第１のタイムスロットで送信され、第２のヘッダ部分は、第１のタイムスロットとは異なる少なくとも第２のタイムスロットで送信される。バースト502は、BS1によりRSに送信される第１の信号（データ503を表す）に対応する。データ503は、データ503がRSにより受信及び復号化されたときにRSによりMT1に再送信されることになっている。バースト502は、第１の物理チャネルとして知られる物理チャネルで送信される。バースト504は、第２の物理チャネルとして知られる同じ物理チャネルでRSにより送信されるバースト514と同期的に送信される。バースト504は、BS1によりMT1に送信される信号（第３の信号として知られる）（第１の信号に含まれるデータ503を表す）に対応する。バースト514は、RSによりMT1に送信される信号（第２の信号として知られる）（第１及び第３の信号に含まれるデータ503を表す）に対応する。第２及び第３の信号は、それぞれRS及びBS1により同期的に送信され、MT1向けの同じデータを表す。有利には、第���及び第２の物理チャネルは、異なるタイムスロットを使用するという点で異なる。バースト505は、MT1により上りリンクULでRSに送信される信号（基地局ネットワーク向けのデータを表す）を表す。有利には、このバースト505は、BS1により受信されて復号化される。１つの変形例によれば、バースト505は、BS1により復号化されずにBS1により受信される。他の変形例によれば、バースト505は、BS1により受信されない。バースト506は、RSによりBS1に送信されてBS1により受信される信号（バースト505に対応するMT1により送信されるがBS1により受信されない信号に含まれるものと同じデータ507を表す）に対応する。
【００４４】
図５ｂは、RSから見た通信フレームT  50を示している。フレーム50は、例えば同期プリアンブルに対応するバースト510と、例えばフレームヘッダに対応するバースト511と、RSにより受信されるバースト512と、RSによりMT1に送信されるバースト514と、MT1から受信されるバースト515と、RSによりBS1に送信されるバースト516とを有する。バースト510は、RSにより、BS1により送信されるバースト500と同期的に送信される。バースト500及び510は、ネットワークの全ての移動端末に送信される同じ同期情報を表す信号に対応する。有利には、同期情報は、BS1及びRSにより第１のフレームに続くフレームで同期的に再送信される前に、BS1によりRSに最初に（第１のフレームで）送信される。１つの変形例によれば、この同期情報を更新する情報は、例えばBS1によりRSにXフレーム毎に送信される。Xは、例えば5、10又は20に等しい。１つの変形例によれば、同期情報は、外部要素（例えば、GPS衛星又は基準時の地上波放送局）によりBS1及びRSに与えられる。フレームヘッダ511は、BS1から受信され、フレーム50のバースト（又はタイムスロット）のシーケンスを表す情報を有する第１のヘッダ部分511aを有する。この情報は、バースト501aにおいてBS1により送信される。フレームヘッダ511はまた、BS1及びRSにより同期的に送信されるスロット（504及び514）のシーケンスを表す情報を有する第２のヘッダ部分511bを有する。この情報はまた、BS1によりバースト511bと同期的に送信されるバースト501bに含まれる。バースト512は、BS1から受信され、MT1向けのデータ503を表す情報を有する。RSは、データ503を復号化し、フレームT  50の次のバースト（すなわち、バースト514）の間に送信する。バースト514は、RSにより送信される信号（第２の信号として知られる）（バースト512の受信でRSにより受信されるデータ503を表す）に対応する。バースト514は、BS1により送信されるバースト504と同期的に送信され、バースト514は、データ503を表す第２の信号に対応し、バースト504は、同じデータ503を表す第３の信号に対応する。２つのバースト504及び514は、同じ物理チャネルで送信される。バースト515が受信され、MT1により送信される信号に対応する。RSは、バースト515を受信し、バースト515に含まれるデータを復号化し、同じフレームT  50の次のバースト（すなわち、バースト516）において送信する。従って、バースト515で受信したデータは、再び符号化され、RSにより送信されるBS1向けの信号に対応するバースト516に挿入される。
【００４５】
図５ｃは、MT1から見た通信フレームT  50を示している。フレームは、BS1及び／又はRSから受信される同期情報を有するバースト520と、例えばフレームヘッダに対応するバースト521と、データ503を表す信号に対応するバースト522と、同じデータ503を表す信号に対応するバースト524と、MT1により送信されるバースト525と、データ507を有するバースト526とを有する。バースト520は、BS1及びRSにより同期的に送信される信号の合成（すなわち、バースト500に対応するBS1により送信される信号とバースト510に対応するRSにより送信される信号との合成）に対応するMT1により受信される信号に対応する。１つの変形例によれば、MT1により受信される信号は、それぞれBS1及びRSにより送信される信号に対応する。MT1により受信されるヘッダ521はまた、２つの部分を有する。第１の部分は、BS1により送信され、第２の部分は、BS1及びRSにより送信される。有利には、MT1は、ヘッダ521の第２の部分のみを復号化する。第２の部分のみがMT1に必要になる。実際に、第２のヘッダ部分は、MT1に関するタイムスロット524及び525を記述する情報を有する。バースト522は、BS1から受信される信号（データ503を表す）に対応する。この信号は、BS1により送信され、RS向けのデータ503を含む。有利には、このバースト522は、MT1により復号化されない（図５ｃのバーストの斜線）。１つの変形例によれば、例えば、BS1が遠すぎる場合、若しくはMT1がBS1の送出エリアのカバーされていないエリアに存在する場合、又は第１のヘッダ部分が正確に受信されない場合にこのバーストが第１のヘッダ部分501aで記述される場合、バースト522は、MT1により受信されない。他の変形例によれば、例えば、バースト522に対応する受信信号が十分な電力レベル（例えば、-80dBmより大きい電力レベル）で受信された場合、MT1は、バースト522を受信して復号化し、これからデータ503を抽出する。バースト524は、BS1及びRSにより同期的に送信される信号の合成（すなわち、バースト504に対応するBS1により送信される信号とバースト514に対応するRSにより送信される信号との合成）に対応するMT1により受信される信号に対応する。受信信号524は、データ503を表す。１つの変形例によれば、MT1により受信される信号は、それぞれBS1及びRSにより送信される信号504又は514に対応する。MT1は、受信信号524を復号化し、これからMT1向けのデータ503を抽出する。バースト525は、RSがMT1により送信される信号に含まれるデータをBS1に再送信するため、MT1によりRSに送信される信号に対応する。バースト526は、RSによりBS1に送信され、MT1により受信される又は受信されない信号に対応し、MT1によりバースト525で送信されるデータ507を表す。図５ｃの斜線のこのバースト526は、MT1により使用されない。
【００４６】
図６ａ〜６ｃは、本発明の第２の限定的な特に有利な実施例による図１のシステム1の基地局BS1  11、中継局RS  10及び移動端末13のレベルでのバーストの交換を表す通信フレームの構成をそれぞれ示している。
【００４７】
図６ａは、BS1から見た基地局BS1と中継局RSと移動端末MT1との間のバーストの交換を表す通信フレームT  60及び通信フレームT+1  61の一部を示している。バースト600、601、605、607は、それぞれ図５ａで説明したバースト500、501、505、506と同じであり、ここでは再び詳細に説明しない。同様に、バースト608は、バースト601と同じである。点で構成される背景によって現れるバーストは、BS1及びRS1により同期的に送信されるバーストに対応する。バースト602は、BS1により、RSにより送信されるバースト622と同期的に送信される。これらの２つのバーストは、MT1向けの同じデータを表す同じ物理チャネルを使用することにより、BS1及びRSによりそれぞれ送信される２つの信号に対応する。バースト603は、BS1により送信されてRS向けの信号（次のバーストでRSにより再び送信され、バースト609の間にフレームT+1  61でBS1により送信されることになっているデータ604を表す）に対応する。同様に、バースト602の間に送信されるデータは、RS向けのバーストでフレームT-1（図示せず）の間にBS1により送信されている。
【００４８】
図６ｂは、RSから見た通信フレームT  60及び通信フレームT+1  61の一部を示している。バースト620、621、625、627は、それぞれ図５ｂで説明したバースト510、511、515、516と同じであり、ここでは再び詳細に説明しない。同様に、バースト628は、バースト621と同じである。点で構成される背景によって現れるバーストは、BS1及びRS1により同期的に送信されるバーストに対応する。バースト622は、RSにより、BS1により送信されるバースト602と同期的に送信される。バースト623は、BS1から受信される信号（MT向けのデータ624を表す）に対応する。従って、RSは、データ624を復号化し、例えば新しいコードで再び符号化し、フレームT+1  61のバースト629で送信する。バースト609は、BS1により、RSにより送信されるバースト629と同期的に送信される。これらの２つのバーストは、同じ物理チャネルを使用することによりそれぞれBS1及びRSにより送信されるそれぞれ２つの信号（MT1向けの同じデータ604を表す）に対応する。
【００４９】
図６ｃは、MT1から見た通信フレームT  60及び通信フレームT+1  61の一部を示している。バースト630、631、635、636は、それぞれ図５ｃで説明したバースト520、521、525、526と同じであり、ここでは再び詳細に説明しない。同様に、バースト638は、バースト631と同じである。斜線の背景によって現れるバーストは、有利にはMT1により使用されないバーストに対応する。バースト632は、BS1及びRSにより同期的に送信される信号の合成（すなわち、バースト602に対応するBS1により送信される信号とバースト622に対応するRSにより送信される信号との合成）に対応するMT1により受信される信号に対応する。１つの変形例によれば、MT1により受信される信号は、それぞれBS1及びRSにより送信される信号602又は612に対応する。MT1は、受信信号63を復号化し、これからMT1向けのデータを抽出する。バースト633は、BS1から受信される信号（データ604を表す）に対応する。この信号は、BS1により送信され、RS向けのデータ503を含む。有利には、このバースト633は、MT1により復号化されない。１つの変形例によれば、例えば、BS1が遠すぎる場合、若しくはMT1がBS1の送出エリアのカバーされていないエリアに存在する場合、バースト633は、MT1により受信されない。他の変形例によれば、例えば、バースト633に対応する受信信号が十分な電力レベルで受信された場合、MT1は、バースト633を受信して復号化し、これからデータ604を抽出する。フレームT+1  61のバースト639は、BS1及びRSにより同期的に送信される信号の合成（すなわち、バースト609に対応するBS1により送信される信号とバースト619に対応するRSにより送信される信号との合成）に対応するMT1により受信される信号に対応する。１つの変形例によれば、MT1により受信される信号は、それぞれBS1及びRSにより送信される信号609又は619に対応する。有利には、MT1は、受信信号639を復号化し、これからMT1向けのデータ604を抽出する。MT1がBS1により送信されたデータ604を表す信号633を復号化している場合、有利には、MT1は、信号639を復号化しない。データ604は受信されて復号化されている。１つの変形例によれば、信号633を復号化することにより、データ604が既に受信されて復号化されている場合であっても、MT1は、信号639を復号化し、これからデータを抽出し、バースト633で受信したデータ604との比較により誤りを含まないことを確認する。MT1が信号633を復号化してこれからデータ604を抽出しており、データが誤って又は部分的に誤って復号化されている場合、MT1は、信号639を復号化し、これからデータ604を抽出し、既に受信したデータ604のセットを訂正する又は完成させる。
【００５０】
図４は、本発明の特定の実施例による基地局BS1  41、中継局RS  40及び複数の移動端末42を実装した無線通信システム4を示す。システム4の全ての局（すなわち、BS1  41及びRS  40）は、単一の周波数で送信する。すなわち、局は単一の周波数で（すなわち、考慮されるOFDMシステムに対してわずかな周波数のずれ（DVB-T（Digital  Video  Broadcasting-Terrestrial）形式のシステムでは、典型的には1Hz未満）で）動作する。中継局RS  40は、壁401〜404に囲まれた内部空間400に存在し、壁404は部分的に開放されている。例えば、空間400は、ビル若しくは家の内部又はビル若しくは家の部屋の内部に対応する。基地局BS1  41は、空間400の外部に存在する。移動端末MT1  44は、空間400の外部のBS1の近くに存在する。移動端末MT2  42は、空間400の内部に存在する。移動端末MT3  43は、空間400の外部に、壁404の開口部の近くに、BS1の直接の見通し線に存在する。BS1及びRSは、他方の局向けの一方の局により送信された信号を通過させない壁403又は送信信号を少なくとも非常に高く減衰させる壁403により分離されている。有利には、中継局RS  40は、２つのアンテナを有しており、一方はBS1との信号の交換用であり、他方は空間400の内部に存在する端末（MT2  42）又は直接の見通し線の端末（例えば、MT3  43）との信号の交換用である。BS1は、一方でMT1  44及びMT3  43と通信し、他方でRS  40と通信するが、空間400の内部に存在する（従って、少なくとも壁403によりBS1  41から分離されている）MT2  42とは直接通信しない。MT1  44は、信号の交換のみのためにBS1に割り当てられており、MT2  42は、信号の交換のみのためにRS  40に割り当てられている。BS1により送信される信号は、RSによりその室内アンテナ（すなわち、空間400に存在する端末との信号の交換に割り当てられたアンテナ）を介して送信される信号と干渉しない。従って、一方ではBS1とMT1との間の通信、及び他方ではRSとMT2との間の通信は、干渉のリスクなしに同時に行われてもよい。更に、特に空間400を囲む壁のため、一方でBS1からMT1に送信される信号と、他方でRSからMT2に送信される信号との間に干渉は存在しない（又は非常に少ししか存在しない）。図７ａ〜７ｅに関して詳細に説明するように、有利には、BS1及びRSは、それぞれMT1及びMT2と通信するために同じ物理チャネルを（すなわち、特に同じ周波数及び同じタイムスロットを使用することにより）使用する。従って、使用される物理チャネルの数は低減され、従って、最適化される。BS1がMT2にデータを送信したい場合、BS1は、所与の物理チャネルでMT2向けのデータを表す信号をRSに送信する。この信号の受信のために、RSは、空間400の外部からの通信に専用のアンテナを選択する。受信信号がRS  40により復号化されると、RS  40は、空間400の内部（又はRSの直接の見通し線）の端末との通信に割り当てられたそのアンテナに切り替え、BS1によりデータをRSに送信するために使用されるものと別の物理チャネルを使用することにより、MT2  42向けのデータを表す信号をMT2に送信する。使用される物理チャネルは、異なるタイムスロットを使用するという点で異なる。MT3との通信に関して、処理は、図１に関して記載したものと等しい。データをMT3に送信するために、有利には、BS1は、第１の物理チャネルを使用することにより、送信されるデータを表す第１の信号をRS  40に送信す���。このようにBS1により送信された信号は、空間400の外部に存在する局との通信に割り当てられたアンテナでRSにより受信される。第１の信号がRSにより受信されて復号化されると、RSは、その第２のアンテナに切り替え、第１の物理チャネルと異なる第２の物理チャネルを使用することにより、BS1から受信したデータを表す第２の信号をMT3に送信する。RS及びBS1が同じ周波数でデータを送信するため、第２の物理チャネルは、第１の物理チャネルにより使用されるものとは異なるタイムスロットを使用するという点で、第１の物理チャネルと異なる。BS1はまた、同じ第２の物理チャネルを使用することにより（すなわち、第２の信号の送出と同期して）、MT3向けの同じデータを表す第３の信号を送信する。MT3により受信された信号は、第２及び第３の信号の合成に対応する合成信号である。１つの変形例によれば、第２の信号は、第３の信号の送出に使用されるものと異なる拡散コードで送出される（CDMA（Code  Division  Multiple  Access）アクセスの使用の場合）。この変形例によれば、第２及び第３の信号は、もはや同じ第２の物理チャネルを使用しないが、第２及び第３の信号は、常に同じ周波数で同期的に送出される。
【００５１】
上りリンク（UL）（すなわち、移動端末MT1、MT2、MT3から局RS、BS1へ）では、MT3  43は、BS1  41と直接通信し、MT2  42は、RS  40を用いてBS1  41と通信し、MT3  43は、直接又はRS  40を用いてBS1  41と通信する。例えばMT2の場合、MT2は、所与の物理チャネルでRSに信号を送出する。この信号は、BS1向けのデータを表す。この信号は、RSによりその‘室内’アンテナ（すなわち、特に空間400に存在する移動端末との通信に割り当てられたアンテナ）で受信される。信号が復号化されると、RSは、MT2とRSとの間の通信に使用されるものと別の物理チャネルで信号をBS1に送出する。この信号は、RSによりMT2から受信されるBS1向けのデータを表す。この最後の信号は、RSにより‘室外’アンテナ（すなわち、特に空間400の外部に存在するBS1と通信するために割り当てられたアンテナ）を使用することにより送出される。
【００５２】
１つの変形例によれば、BS1は、少なくとも他の基地局に関連付けられ、基地局の第１の集合（セット）を形成する。例えば、この基地局の第１の集合は、MT1との通信に割り当てられる。この第１の集合の基地局は、有利には同じ物理チャネルを使用することにより、MT1向けのデータを送出する。このデータは、集合の各基地局により同期的に送出される。この同じ第１の集合又は例えば第１の集合の基地局の一部により形成される第２の集合は、MT2及び／又はMT3へのデータの送信に割り当てられる。第２の集合の各基地局は、MT2向けの同じデータを表す信号をRSに送出する。各基地局は、同じ周波数で同期的に送出し、RSにより受信される信号は、第２の集合の基地局により送出された信号の合成に対応する。同様に、一方で基地局の集合及び他方で移動端末との通信する中継局の集合を形成するために、複数の中継局が使用されてもよい。単一の基地局の代わりに複数の基地局を使用すること及び／又は単一の中継局の代わりに複数の中継局を使用することにより、送信機と受信機との間で良好なリンク品質を保持しつつ、小さい電力の局が実装されることが可能になる。同じデータは、複数の局により同期的に送出される。
【００５３】
図７ａ〜７ｅは、本発明の非限定的な特定の有利な実装例による図４のシステム4の基地局BS1  41、中継局RS  40及び各移動端末MT1  44、MT2  42及びMT3  43のレベルでのバーストの交換を表す通信フレームの構成をそれぞれ示している。
【００５４】
図７ａは、BS1から見た基地局BS1と中継局RSと移動端末MT1との間のバーストの交換を表す通信フレームT  70及び通信フレームT+1  71の一部を示している。フレームT  70は、例えば同期プリアンブルに対応する第１のバースト700と、例えば２つのヘッダ部分701a及び701bを有するフレームヘッダに対応するバースト701とを有する。フレームT+1も、同様のバースト（それぞれ700及び712）を有する。これらのバーストは、図５ａ〜５ｃに関して詳細に説明しており、それぞれバースト500及び501に関連付けられる。これらは以下では更に詳細に説明しない。フレームTはまた、MT3向けのバースト702と、MT1向けのバースト703と、RS向けのバースト704と、MT3から受信されるバースト708と、MT1から受信されるバースト708と、RSから受信されるバースト709とを有する。バースト703は、MT3向けのデータを表すBS1により送出される信号に対応する。このバーストは、RSにより送出されるバースト722と同期的に送出される。バースト722は、バースト702に含まれるものと同じデータを表す信号に対応する。バースト702、722に含まれるデータは、最初にBS1によりRSへのバーストにおいてフレームTの直前のフレームT-1で送出されている。バースト703は、BS1によりMT1に送出される信号に対応し、MT1向けのデータを表す。BS1により送出されるバースト704は、RS向けの信号に対応し、この信号は、一方でMT3向けのデータを表し、他方でMT2向けのデータを表す。このバースト704に含まれるMT3向けのデータは、フレームT+1  71のバースト713において、再びBS1について送出される。バースト707は、MT3により送出される信号（BS1向けのデータ710を表す）に対応する。このバースト707は、例えばMT3とBS1との間のリンクの品質及び／又は受信信号の電力に従って、BSにより受信される又は受信されない。バースト707がBS1により有効に受信された場合、BS1は、受信信号の電力、MT3とBS1との間のリンクの品質及び／又は受信信号の誤り率に従って、信号を復号化する又は復号化しない。バースト708は、MT1により送出される信号（BS1向けのデータを表す）に対応する。このバースト708は、BS1により受信されて復号化される。バースト709は、RSにより送出される信号（MT3により送出されるBS1向けのデータ710を表し、MT2により送出されるBS1向けのデータ711を表す）に対応する。このバースト709は、BS1により復号化され、これからデータ710及び／又は711を抽出する。１つの変形例によれば、BS1がバースト707の受信中に誤りなしに完全にデータ710を復号化している場合、BS1は、信号709を部分的にのみ復号化し、これからMT2からのデータ711のみを抽出することを判定する。
【００５５】
図７ｂは、RSから見た基地局BS1と中継局RSと移動端末MT1〜MT3との間のバーストの交換を表す通信フレームT  70及び通信フレームT+1  71の一部を示している。フレームT  70は、例えば同期プリアンブルに対応する第１のバースト720と、例えば２つのヘッダ部分721a及び721bを有するフレームヘッダに対応するバースト721とを有する。フレームT+1も、同様のバースト（それぞれ720及び732）を有する。これらのバーストは、図５ａ〜５ｃに関して詳細に説明しており、それぞれバースト510及び511に関連付けられる。これらは以下では更に詳細に説明しない。バースト722は、BS11により送出される信号702と同期的にRSにより送出される信号に対応する。２つの信号は、同じ物理チャネルを使用して送出され、MT3向けのものであり、MT3向けのデータを表す。バースト723は、MT2により送出され、図７ｂには表されないフレームTの前のフレームT-1のバーストでBS1により送出される信号（MT2向けのデータを表す）に対応する。バースト723は、BS1によりMT1に送出されるバースト703と同じタイムスロットでRSにより送出される。実際に、図４に記載のように、空間400の外部に存在する移動端末へのBS1の送出は、空間400を囲む壁401〜404のため、空間400の内部に存在する移動端末へのRSの送出と干渉しない。従って、信号をMT1に送出するためにBS1により使用されるタイムスロットは、信号をMT2に送出するためにRSにより再利用されてもよく、BS1及びRSにより使用される物理チャネルは、有利には同じである。１つの変形例によれば、同じタイムスロットの間にそれぞれMT1及びMT2に送出するためにBS1及びRSにより使用される物理チャネルは、CDMAアクセスの場合には異なる拡散コードを使用するという点で異なる。BS1から受信されるバースト724は、BS1により送出される信号（MT3向けのデータ705及びMT2向けのデータ706を表す）に対応する。データがRSにより復号化されると、次に、RSは、フレームT  70に続くフレームT+1  71の２つのバースト（それぞれMT3への733及びMT2への744）の間にこれらのデータ705及び706を送出する。従って、バースト733は、RSによりMT3に送出される第２の信号（バースト724でRSにより受信されるMT3向けのデータ705を表す）に対応する。このバースト733は、BS1により送出される第３の信号（MT3向けの同じデータ705を表す）に対応するバースト713と同期的に送出される。有利には、信号724は、第１の物理チャネルでRSにより受信され、有利には、信号713及び733は、第２の物理チャネルでそれぞれBS1及びRSにより送出される。第１の物理チャネルは、第２の物理チャネルにより使用されるものとは異なるタイムスロットを使用するという点で、第２の物理チャネルと異なる。バースト734は、RSによりMT2に送出される信号（受信データ706を表す）に対応する。バースト734は、BS1によりMT1に送出されるバースト714と同じタイムスロットを使用し、これらのバーストの間に干渉は現れず、BS1及びRSは壁403により分離される。２つの異なる局による２つの移動端末への２つの信号の同時送出のために同じタイムスロットを使用することにより、帯域幅の使用が最適化されることが可能になる。最後に、バースト727及び728は、それぞれMT3によりRSに送出される信号及びMT2によりRSに送出される信号に対応する。MT3により送出される信号は、BS1向けのデータ710を表し、MT2により送出され��信号は、BS1向けのデータ711を表す。これらのデータがRSにより復号化されると、これらのデータ710及び711は、BS1向けの信号に対応するバースト729でRSにより再送出される。
【００５６】
図７ｃ〜７ｅは、それぞれMT1、MT3及びMT2から見た通信フレームT  70及び通信フレームT+1  71の一部を示している。斜線の背景で現れるバーストは、有利にはMT1、MT3及びMT2により復号化されないバーストに対応する。同期プリアンブルに対応するバースト740、780及び760は、ヘッダ741、752、781、792、761及び772と同様に、ここでは詳細に説明しない。MT1により受信される又は受信されないMT3向けのバースト742は、RS向けのバースト744、RS向けのバースト747、BS1向けの749及びMT3向けの753と同様に、MT1により復号化されない。MT1向けのバースト743のみがMT1により復号化される。バースト748は、MT1により送出され、直接BS1に向けられる。
【００５７】
バースト782は、MT3向けの信号に対応し、MT3向けのデータを表す。この受信信号は、それぞれBS1及びRSにより送出された信号702及び722の合成に対応する。MT3により受信される又は受信されないMT1及び／又はMT2向けのバースト783は、RS向けのバースト784、BS1及び／又はRS向けの788、BS1向けの789並びにMT1及び／又はMT2向けの794と同様に、MT3により復号化されない。バースト787は、MT3により送出され、RS及びBS1向けのものである。RS及びBS1により送出される信号（データ705を表す）に対応するバースト793は、MT3により受信されて復号化される。１つの変形例によれば、例えば受信信号の電力レベルが閾値より大きい場合及び／又は誤りなしに受信された場合、バースト784は、少なくとも部分的に復号化され、これからMT3向けのデータ705を抽出する。この変形例によれば、データ705が実際に復号化されている場合、バースト793はMT3により使用されない。これが含むデータは既に受信されており、復号化されている。
【００５８】
バースト763は、RSから受信されるMT2向けの信号（MT2向けのデータを表す）に対応する。MT2により受信される又は受信されないMT3向けのバースト762は、RS向けのバースト764、RS／BS1向けの767、BS1向けの769及びMT3向けの773と同様に、MT2により復号化されない。バースト768は、MT2により送出され、RS向けのものである。RSにより送出される信号（データ706を表す）に対応するバースト774は、MT2により受信されて復号化される。１つの変形例によれば、例えば受信信号の電力レベルが閾値より大きい場合及び／又は誤りなしに受信された場合、バースト764は、少なくとも部分的に復号化され、これからMT2向けのデータ706を抽出する。この変形例によれば、データ706が実際に（例えば、完全に誤りなしに）復号化されている場合、バースト774はMT2により使用されない。これが含むデータは既に受信されており、復号化されている。
【００５９】
図８は、本発明の非限定的な特定の有利な実施例によるシステム1又は4の少なくとも１つの中継局により実施される送信方法を示している。
【００６０】
初期化ステップ80の間に、少なくとも１つの中継局の様々なパラメータが更新される。特に、送信又は受信される信号並びに対応するサブキャリアに対応するパラメータがいずれかの方法で初期化される（例えば、マスター局として知られる１つの基地局により、若しくはシステム1に表されないサーバにより、又はオペレータコマンドにより送信された初期化メッセージの受信に従う）。
【００６１】
次にステップ81の間に、第１の信号は、中継局RS  10、40により第１の無線チャネルを介して受信される。第１の信号は、基地局BS1  11、41により送出され、この第１の信号は、システム1の少なくとも１つの移動端末MT1  13、システム4のMT2  42及び／又はMT3  43向けのデータを表す。１つの変形例によれば、受信した第１の信号は、基地局BS1及びBS2の集合の各基地局BS1  11、BS2  12により送出された信号の合成に対応する。この変形例によれば、全ての基地局により送信される信号は、それぞれ同じデータを表し、同期的に同じ周波数で送出される。１つの変形例によれば、第１の信号は、システム1の移動端末MT1、システム4のMT2又はMT3により送出され、この信号は、１つ以上の基地局BS1、BS2向けのデータを表す。
【００６２】
ステップ82の間に、中継局RS  10、40は、第２の無線チャネルを介して第２の信号を送出する。この第２の信号は、第１の信号の受信で受信されたデータ（すなわち、少なくとも１つの受信機（すなわち、少なくとも１つの移動端末又は変形例によれば少なくとも１つの基地局）向けのデータ）を表す。第２の信号は、第２の信号のものと同じデータを表す第３の信号と同期的にRSにより送出される。この第３の信号は、少なくとも１つの基地局BS1、BS2により送出されることになっている。有利な変形例によれば、第３の信号は、第１の信号を送出した少なくとも１つの基地局BS1により送出される。少なくとも１つの基地局及び少なくとも１つの中継局により同じデータを表す２つの信号の同期した送出は、２つの送出した信号の無線での合成に対応する受信信号が、大きい電力で、単一の局により送出されたかのように受信される。（中継及び基地）局は、同じ周波数で送出するため、２つの異なる局による信号の同期した送出により、第２及び第３の信号の送出のために単一のチャネルを使用することにより、チャネルの使用が最適化されることが可能になる。第１の信号は、中継局RSにより復号化され、これからデータを抽出する。このように復号化されたデータは、RSにより再び符号化され、RSにより送出される。第１の信号でデータの符号化に使用されるコードと、第２の信号で同じデータの符号化に使用されるコードとは、有利には同じである。１つの変形例によれば、第１の信号及び第２の信号により使用される符号化は、例えばCDMAアクセスの場合の異なる拡散コードの使用により異なる。
【００６３】
図８に示さないステップの間に、中継局RSは、同期情報を表す少なくとも１つの信号を受信する。有利には、この同期情報は、第１の信号を送出している少なくとも１つの基地局により送出される。１つの変形例によれば、同期情報は、ネットワークの外部の要素（例えば、GPS（Global  Positioning  System）衛星又は基準時の地上波放送局）により送出される。この場合、この同期は、無線フレームの外部で行われる。１つの変形例によれば、同期情報は、中継局のメモリにハード的に格納される。有利には、この同期は、OCXO（Ovennized  crystal  Oscillator）形式の非常に安定した水晶発振器を介して及び／又はBSからのヘッダ信号の調整により維持される。
【００６４】
有利には、第１の信号は、第１のタイムスロットで送出され、第２及び第３の信号は、第１のタイムスロットと異なる第２のタイムスロットで送出される。有利には、第１及び第２のタイムスロットは、２つの時間的に連続するフレームに属する（例えば、第１のスロットはフレームTに属し、第２のスロットはフレームT+1に属する）。１つの変形例によれば、第１及び第２のタイムスロットは、同じ時間フレームTに属する。
【００６５】
有利には、中継局は複数のアンテナ（第１の信号を受信するために使用される第１のアンテナ及び第２の信号を送出するために使用される第２のアンテナ）を有する。中継局は、第１のアンテナで信号を受信し、第２のアンテナで信号を送出するために、及びその逆を行うために（すなわち、第２のアンテナで信号を受信し、第１のアンテナで信号を送出するために）、アンテナを切り替える。
【００６６】
１つの変形例によれば、第４の信号は、少なくとも１つの基地局BS1、BS2及び少なくとも１つの中継局RSにより同期的に送出される。例えば、この第４の信号は、同期プリアンブルに対応する。少なくとも１つの基地局により送出される第１のフレームは、中継局への同期情報を表す信号を有する。この同期情報は、少なくとも１つの基地局及び少なくとも１つの中継局により同期して第１のフレームに続くフレームで送出される。１つの変形例によれば、同期情報の更新を表す信号は、基地局又は少なくとも１つの中継局の外部の要素により定期的に送出される。
【００６７】
１つの変形例によれば、第１の信号は、中継局の集合を形成する複数の中継局（例えば、２つ、３つ又は５つの中継局）により受信される。中継局の集合又はこの集合の中継局の一部のみは、このように受信されたデータを送出する。送出された信号の無線での合成は、第２の信号を形成する。１つの中継局の代わりに複数の中継局を使用することにより、低電力の中継局を使用することが可能になり、あまり干渉を生成せずに、所与の領域がより細かくカバーされることが可能になる。
【００６８】
図９は、本発明の非限定的な特定の有利な実施例によるシステム1又は4の少なくとも１つの基地局により実施される送信方法を示している。
【００６９】
初期化ステップ90の間に、少なくとも１つの基地局の様々なパラメータが更新される。特に、送信又は受信される信号並びに対応するサブキャリアに対応するパラメータがいずれかの方法で初期化される（例えば、例えば、マスター局として知られる１つの基地局により、若しくはシステム1に表されないサーバにより、又はオペレータコマンドにより送信された初期化メッセージの受信に従う）。
【００７０】
次にステップ91の間に、第１の信号は、フレームTの第１のタイムスロットで第１の無線チャネルを介して送出される。この第１の信号は、中継局RSに送出され、少なくとも１つの移動端末MT1〜MT3向けのデータを表す。
【００７１】
最後にステップ92の間に、第１の信号で送出されたものと同じデータを表す第３の信号は、第１のタイムスロットと異なる第２のタイムスロットで第２の無線チャネルを介して送出される。有利には、第１のタイムスロットは、第１のフレームTに属し、第２のタイムスロットは、連続するフレームT+1に属する。１つの変形例によれば、第１及び第２のタイムスロットは、同じフレームに属する。第３の信号は、第１の信号を受信した少なくとも１つの中継局により送出されることになっている第２の信号と同期的に送出される。第１の信号及び第３の信号と同様に、第２の信号は、少なくとも１つの移動端末MT1〜MT3向けの同じデータを表す。
【００７２】
図１０は、本発明の非限定的な特定の有利な実施例によるシステム1又は4の少なくとも１つの移動端末により実施される送信方法を示している。
【００７３】
初期化ステップ100の間に、移動端末の異なるパラメータが更新される。特に、送信又は受信される信号並びに対応するサブキャリアに対応するパラメータがいずれかの方法で初期化される（例えば、例えば、マスター局として知られる１つの基地局により、若しくはシステム1に表されないサーバにより、又はオペレータコマンドにより送信された初期化メッセージの受信に従う）。
【００７４】
次にステップ101の間に、少なくとも１つの移動端末MT1〜MT3は、第１のタイムスロットで第１の無線チャネルを介して移動端末向けのデータを表す第１の信号を受信する。
【００７５】
最後にステップ102の間に、少なくとも１つの受信端末は、第１のタイムスロットと異なる第２のタイムスロットで合成信号を受信する。合成信号は、少なくとも１つの基地局及び少なくとも１つの中継局により同じ周波数で同期的に送出された複数の信号（すなわち、同じデータを表す少なくとも第２の信号及び少なくとも第３の信号）の無線での合成に対応する。
【００７６】
有利には、少なくとも１つの移動端末は、図１０に示さない選択ステップの間に、受信信号（すなわち、第１の信号及び合成信号）の中から復号化する信号を選択する。有利には、復号化される信号の選択は、下記のものを有するグループに属する少なくとも１つの選択基準の関数である。
−少なくとも１つの移動端末により受信された信号の電力：有利には、当業者に既知のいずれかの技術に従って受信信号毎に推定された電力レベルの中で最高の電力レベルで受信した信号（又は受信したバースト）が、復号化されるために選択される。他の変形例によれば、受信電力レベルが閾値（例えば-80dBm）より大きい受信信号が、復号化されるために選択される。この基準の考慮は、特に受信信号の最善のもののみを復号化するという利点を提供する。
−少なくとも１つのBS又はRS局と少なくとも１つの移動端末との間のリンク品質：例えば、局と移動端末との間のリンクの品質は、信号対雑音比（SNR：signal-to-noise  ratio）を判定することにより推定される。有利には、最高のSNRを有するリンクが選択され、これにより、このリンクを介して送出された信号が復号化される。１つの変形例によれば、SNRが閾値（例えば、10dB又は20dB）より大きいリンクが選択され、これにより、このリンクを介して送出された信号が復号化される。この基準の考慮は、特に処理可能なほど十分に聞こえる（視聴できる）ように受信された信号のみを復号化するという利点を提供する。
−受信信号誤り率（BER又はビット誤り率）、FER（フレーム誤り率）：受信信号が復号化され、復号化された信号毎に、当業者により既知のいずれかの技術に従ってBER又はFERが推定される。最低の誤り率を有する信号からのデータが保持される。この基準の考慮は、例えば低いコストで誤りを補うために当業者により既知の方法のいずれかを適用するために、各信号からの復号化されたデータを比較するという利点と、最善の誤り率を有するものを使用するという利点を有する。
【００７７】
有利な変形例によれば、少なくとも１つの移動端末は、以下のグループに属するパラメータに従って、図１０に示さない利得適応ステップの間に受信利得を適応させる。
−通信フレームにおける受信信号の位置：フレームヘッダに含まれる情報から、移動端末は、どの位置が基地局により中継局に送出されたバーストに占有されており、それ向けのデータを含むか（第１のバーストと呼ばれる）を認識し、どの位置が中継局によりそれに送出されたバーストにより占有されており、基地局から受信したそれ向けのデータの再送信に対応するか（第２のバーストと呼ばれる）を認識している。第１のバーストの受信中に、例えば、少なくとも１つの移動端末は、信号電力を判定し、第２のバーストの受信のためにその受信利得を適応させる。第２のバーストは、おそらく第１のバーストより大きい電力で受信される。第２のバーストは、基地局及び中継局により同期的に送出される。有利には、利得適応は、試験的に判定された式に従って行われる。
−例えばフレームヘッダに含まれる信号送信機を表す情報：どの局が信号を送出するか（基地局又は中継局）に従って、少なくとも１つの移動端末は、その受信利得をパラメータ化する。
【００７８】
利得適応により、移動端末は、受信信号の受信を最適化し、従って受信誤りを最小化することが可能になる。
【００７９】
当然に、本発明は、前述の実施例に限定されない。
【００８０】
特に、本発明は、１つ又は２つの基地局、中継局及び１つ又は３つの移動端末を有するシステムに限定されず、３つより多くの基地局、２つより多くの中継局、２つの端末又はそれ以上を有するシステムに及ぶ。
【００８１】
１つの変形例によれば、所与の移動端末への１つ以上の（基地又は中継）局の割り当ては、例えば移動端末の移動に従って時間と共に変化する。１つの変形例によれば、移動端末への局の割り当ては、例えば移動端末がネットワークに入ることを望む場合に、移動端末により送出された第１の信号から推定された各局に対応する受信オフセットに従って行われる。有利には、第１の信号の受信オフセットが所定の閾値より小さい局が移動端末に割り当てられる。
【図１】
0005553894.tif 000002
【図２】
0005553894.tif 000003
【図３】
0005553894.tif 000004
【図４】
0005553894.tif 000005
【図５ａ】
0005553894.tif 000006
【図５ｂ】
0005553894.tif 000007
【図５ｃ】
0005553894.tif 000008
【図６ａ】
0005553894.tif 000009
【図６ｂ】
0005553894.tif 000010
【図６ｃ】
0005553894.tif 000011
【図７ａ】
0005553894.tif 000012
【図７ｂ】
0005553894.tif 000013
【図７ｃ】
0005553894.tif 000014
【図７ｄ】
0005553894.tif 000015
【図７ｅ】
0005553894.tif 000016
【図８】
0005553894.tif 000017
【図９】
0005553894.tif 000018
【図１０】
0005553894.tif 000019